(57)【要約】【課題】ＬＥＤ光源の性能を十分に発揮するために、光源からの反射を向上させ、ＬＥＤ照明全体の照度を向上させることのできるＬＥＤ照明装置を提供する。【解決手段】ＬＥＤ光源部材２０は、アルミ基盤２１の上に複数のＬＥＤチップ２２が搭載され、複数のＬＥＤチップ２２が搭載されていないアルミ基盤２１の領域に、ＰＥＴフィルム２３が貼り付けられた構成となっている。アルミ基盤２１の上にＰＥＴフィルム２３を貼り付けることで、ＬＥＤチップ２２からの光の反射効率を高めることができる。【選択図】図１
0003199742.tif 000002
【実用新案登録請求の範囲】
【請求項１】
アルミ基盤の上に複数のＬＥＤチップを搭載したＬＥＤ光源部材を有するＬＥＤ照明装置であって、
前記ＬＥＤ光源部材に、前記アルミ基盤の上の前記複数のＬＥＤチップが搭載されていない領域に、熱可塑性樹脂で形成された反射フィルムを貼り付けた構成であることを特徴とするＬＥＤ照明装置。
【請求項２】
前記熱可塑性樹脂で形成されたた反射フィルムは、ＰＥＴフィルムであることを特徴とするＬＥＤ照明装置。
【請求項３】
前記ＬＥＤ光源部材は、チューブライトに用いるように形成されていることを特徴とする請求項１又は請求項２に記載のＬＥＤ照明装置。
【考案の詳細な説明】
【技術分野】
【０００１】
本考案は、ＬＥＤ照明装置に関する。
【背景技術】
【０００２】
発光ダイオードであるＬＥＤ（Ｌｉｇｈｔ  Ｅｍｉｔｔｉｎｇ  Ｄｉｏｄｅ）は、順方向に電流を加えることで発光する半導体素子であり、エレクトロルミネセンスを利用しており、ＬＥＤは、長寿命であり発光効率もよく技術の発達にともない、ＬＥＤを用いた照明が、省エネルギー照明として普及している。
【０００３】
ＬＥＤの寿命は、従来の白熱電球に比べて長く、素子そのものは半永久的に使用できる特徴があり、ＬＥＤが使用不能になる場合は、電極部分の金属の酸化や劣化、過熱や衝撃により内部の金属部材が破損し配線が断線することによるものである。
【０００４】
このようなＬＥＤは、省エネルギー光源として非常に有望であり、また、ＬＥＤの発光色は、用いる材料によって異なり赤外線領域から可視光域、紫外線領域で発光するものなど多様な色の照明に対応できる。
【０００５】
また、ＬＥＤで発生した熱を効率良くガラス管や接着材に伝えるためには、伝熱性の高い材料であるアルミ基盤などの金属製基板が用いることで熱負荷をさらに低減し、例えば、直管型ＬＥＤ照明装置において、円筒状カバーの上部に複数のＬＥＤ素子を実装したアルミ基盤を有するＬＥＤ照明装置が開示されている（特許文献１参照）。
【０００６】
しかし、ＬＥＤ照明に対応する反射部材については課題が残っており、ＬＥＤ照明の性能の改善のために反射効率の向上が求められている。
【先行技術文献】
【特許文献】
【０００７】
【特許文献１】実用新案登録第３１８４７４９号
【考案の概要】
【考案が解決しようとする課題】
【０００８】
上記のとおり、ＬＥＤを用いた照明装置の照度の向上には課題が残っており、ＬＥＤ照明全体としての性能の向上を図るためには、光源からの光に対するより効率のよい反射が求められている。
【０００９】
本考案は、こうした点に鑑みてなされたものであり、ＬＥＤ光源の性能を十分に発揮するために、光源からの反射を向上させ、ＬＥＤ照明全体の照度を向上させることのできるＬＥＤ照明装置を提供することである。
【課題を解決するための手段】
【００１０】
上記課題を解決するために、本考案に係るＬＥＤ照明装置は、アルミ基盤の上に複数のＬＥＤチップを搭載したＬＥＤ光源部材を有するＬＥＤ照明装置であって、前記ＬＥＤ光源部材に、前記アルミ基盤の上の前記複数のＬＥＤチップが搭載されていない領域に、熱可塑性樹脂で形成された反射フィルムを貼り付けた構成であることを特徴とする。
【００１１】
本考案に係るＬＥＤ照明装置の態様について、前記熱可塑性樹脂で形成されたた反射フィルムは、ＰＥＴフィルムであることが好ましい。
【００１２】
本考案に係るＬＥＤ照明装置の態様について、前記ＬＥＤ光源部材は、チューブライトに用いるように形成されていることが好ましい。
【考案の効果】
【００１３】
本考案のＬＥＤ照明装置によれば、ＬＥＤ光源の性能を十分に発揮するために、光源からの反射を向上させ、ＬＥＤ照明全体の照度を向上させることができる。
【図面の簡単な説明】
【００１４】
【図１】実施形態のＬＥＤ照明装置を示す切り欠き概略斜視図である。
【図２】実施形態のＬＥＤ光源部材を示す模式図である。
【図３】他の実施形態のＬＥＤ照明装置を示す切り欠き概略斜視図である。
【図４】従来のＬＥＤ照明装置を示す切り欠き概略斜視図である。
【考案を実施するための形態】
【００１５】
以下、本考案に係る実施形態のＬＥＤ照明装置を、図１から図４を用いて説明する。
【００１６】
図１は、本実施形態のＬＥＤ照明装置１０を示す切り欠き概略斜視図であり、図１に示すように、ＬＥＤ照明装置１０は、アルミ基盤２１、ＬＥＤチップ２２、熱可塑性樹脂で形成された反射フィルムの一例としてのＰＥＴ（ポリエチレンテレフタレート）で形成されたＰＥＴフィルム２３からなるＬＥＤ光源部材２０、を有している。
【００１７】
また、ＬＥＤ照明装置１０は、円筒管３０、口金４０及び口金ピン５０を有しており、ＬＥＤ光源部材２０は、円筒管３０の内部に実装されるように構成され、また、口金４０は、円筒管３０の両端に設けられ、円筒管３０を支持するように形成されている。
【００１８】
円筒管３０の両端に設けられている口金４０は、ＬＥＤ光源部材２０の両端を支持し、口金ピン５０は、口金４０の両端に一対ずつ設けられており、図１に示すように口金４０の中央部分を貫通している。
【００１９】
口金ピン５０は、図示しない電源からの電力を、ＬＥＤ光源部材２０に供給し、ＬＥＤチップ２２に電流を供給し発光させる。
【００２０】
実施形態のＬＥＤ光源部材２０は、チューブライトに用いるように形成されており、また、ＬＥＤ光源部材２０を内部に実装している円筒管３０は、直管式のものであり、このＬＥＤ光源部材２０は、チューブライトの光源としての機能を有している。
【００２１】
なお、実施形態は、直管式のチューブライトであるが、これに限定されず、例えば、３０形、３２形、４０形などのサークルライトであってもよい。
【００２２】
また、上記のとおり、ＬＥＤ光源部材２０は、アルミ基盤２１の上に図１に示すように複数のＬＥＤチップ２２を搭載しており、また、ＬＥＤ光源部材２０は、アルミ基盤２１の上において、複数のＬＥＤチップ２２が搭載されていない領域に、反射フィルムであるＰＥＴフィルム２３が貼り付けられた構成となっている。
【００２３】
図２は、実施形態のＬＥＤ光源部材２０を示す模式図であり、アルミ基盤２１にＰＥＴフィルム２３が貼り付けられた状態を示している。
【００２４】
図２に示すようにアルミ基盤２１において、ＬＥＤチップ２２が搭載されていない部分に、ＰＥＴフィルム２３を貼り付けることで、ＬＥＤチップ２２からの光の照射に対する反射効率を高めることができる。
【００２５】
すなわち、実施形態のＬＥＤ照明装置１０は、図４に示すＰＥＴフィルム２３を有しない従来のＬＥＤ照明装置１１と比べ、ＰＥＴフィルム２３を有することでＬＥＤチップ２２からの光の反射効率を高くすることができる。
【００２６】
なお、図４に示す従来のＬＥＤ照明装置１１は、アルミ基盤２１とＬＥＤチップ２２からなるＬＥＤ光源部材２０Ｂ、円筒管３０、口金４０及び口金ピン５０で構成されている。
【００２７】
図３は、他の実施形態のＬＥＤ照明装置１０Ａを示す切り欠き概略斜視図であって、図３に示すとおりＬＥＤ照明装置１０Ａは、アルミ基盤２１とＬＥＤチップ２２とＰＥＴフィルム２３ＡからなるＬＥＤ光源部材２０Ａ、円筒管３０、口金４０及び口金ピン５０で構成されている。
【００２８】
このような他の実施形態が示すようにアルミ基盤２１の上において、ＬＥＤチップ２２の周囲を含む領域にＰＥＴフィルム２３を貼り付けることができ、この例で示すように、ＰＥＴフィルム２３をアルミ基盤２１に貼り付ける領域は、任意に選択することができる。
【００２９】
なお、ＰＥＴフィルム２３をアルミ基盤２１に貼り付ける方法は、圧着、接着など設計上最適なものを選択すればよい。
【００３０】
上記のような特徴を有する本考案のＬＥＤ照明装置は、例えば、家庭での使用や事務所での使用において、より効率のよい照明装置としての役割を果たすことができ、省電力化にも貢献することができる。
【００３１】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００３２】
また、ＬＥＤ照明装置の大きさや形状、素材の厚さ、重さなどについては多様な実施形態が可能であり、それらについて本実施形態と異なる形態による実施は、本考案の技術的範囲に含まれる。
【符号の説明】
【００３３】
１０，１０Ａ，１１    ＬＥＤ照明装置
２０，２０Ａ，２０Ｂ  ＬＥＤ光源部材
２１                  アルミ基盤
２２                  ＬＥＤチップ
２３，２３Ａ          ＰＥＴフィルム
３０                  円筒管
４０                  口金
５０                  口金ピン
【図１】
0003199742.tif 000003
【図２】
0003199742.tif 000004
【図３】
0003199742.tif 000005
【図４】
0003199742.tif 000006
【手続補正書】
【提出日】平成27年7月13日(2015.7.13)
【手続補正１】
【補正対象書類名】実用新案登録請求の範囲
【補正対象項目名】全文
【補正方法】変更
【補正の内容】
【実用新案登録請求の範囲】
【請求項１】
アルミ基盤の上に複数のＬＥＤチップを搭載したＬＥＤ光源部材を有するＬＥＤ照明装置であって、
前記ＬＥＤ光源部材に、前記アルミ基盤の上の前記複数のＬＥＤチップが搭載されていない領域に、熱可塑性樹脂で形成された反射フィルムを貼り付けた構成であることを特徴とするＬＥＤ照明装置。
【請求項２】
前記熱可塑性樹脂で形成された反射フィルムは、ＰＥＴフィルムであることを特徴とする請求項１に記載のＬＥＤ照明装置。
【請求項３】
前記ＬＥＤ光源部材は、チューブライトに用いるように形成されていることを特徴とする請求項１又は請求項２に記載のＬＥＤ照明装置。